(57)【要約】【課題】  子扉付き鋼製ドアの親扉に対する子扉の防犯性を高度に備えるとともに子扉の使い勝手を向上する。【解決手段】  子扉室内側のハンドル８２及び室外側のキーシリンダー８３の回転操作に連動して作動する上下一対のロッド８７を親扉のロッド受８８に係脱自在とするとともに戸先側のデッドボルト８９を親扉の錠受９０に係脱自在として、子扉３を親扉２に３点施錠する。また、子扉３の親扉２への吊り支持を強付勢したヒンジ５で行って子扉３を自動閉鎖する一方、子扉３設置のローラーラッチ６が反動でラッチ受６１から外れないように子扉３を親扉２のマグネットキャッチ７によって受止め保持する。地震で親扉２が開閉不能のとき、子扉３を開けて緊急脱出するに際して有効な防犯性を発揮し、また、出入りに子扉３が半開きになったりするのを防止できる。【選択図】  図１
2013108344.tif 000002
【特許請求の範囲】
【請求項１】
親扉と、親扉の子扉開口に開閉自在に吊り支持し且つ親扉に対して施解錠自在とした子扉を備え、該子扉の親扉に対する施解錠を、子扉室内側のハンドル及び室外側のキーシリンダーと、これらハンドル又はキーシリンダーの回転操作に連動して子扉に配置した親扉の子扉開口上下見込面のロッド受に係脱自在の上下一対のロッド及び該親扉の子扉開口戸先側見込面に配置した錠受に係脱自在の鎌錠又はデッドボルトの上下及び戸先の３点施錠によって行うとともに上記子扉又は子扉開口の戸先側見込面一方に、他方に向けて付勢することによって突没自在とし上記親扉の子扉開口又は子扉の戸先側見込面他方のラッチ受に係脱自在のローラーラッチを備えて子扉の閉鎖保持を行ってなることを特徴とする子扉付き鋼製ドア。
【請求項２】
上記子扉の吊り支持を、親扉の子扉開口と子扉の吊り元側の見込面内に配置して上記ローラーラッチのラッチ受から反動脱出可能程度に閉鎖方向に強付勢したヒンジにより行って子扉を自動閉鎖自在とするとともに上記ローラーラッチの子扉閉鎖衝撃による反動脱出を防止する子扉受止め保持の措置を施してなることを特徴とする請求項１に記載の鋼製ドア。
【発明の詳細な説明】
【技術分野】
【０００１】
本発明は、例えば、集合住宅の玄関に使用する子扉付き鋼製ドアに関する。
【背景技術】
【０００２】
この種の子扉付き鋼製ドアとして、本発明者のうちの１名は、下記特許文献１によって、親扉と、親扉の子扉開口に開閉自在に吊り支持し且つ親扉に対して施解錠自在とした子扉を備え、該子扉を、いわゆるスプリングヒンジで閉鎖方向に付勢するようにした子扉付き鋼製ドアを提案済みである。
【先行技術文献】
【特許文献】
【０００３】
【特許文献１】特願２０１０−９７３０２
【発明の概要】
【発明が解決しようとする課題】
【０００４】
この場合、親扉に対して子扉が開閉自在となるから、地震によってドア枠が変形して親扉の開閉が不能となっても、子扉から室外に緊急脱出することが可能となり、耐震性を有する玄関ドアとして有用なものとすることができる。
【０００５】
一方、特許文献１には、親扉に対する子扉の施錠について記載されないが、子扉の施錠を行う必要があるから、室内側に配置したハンドル操作によって、例えば鎌錠によって親扉との間で、その施錠を行うものとされる。
【０００６】
しかし乍ら、子扉を使用して脱出する必要があるとき、親扉は開閉不能となり、子扉のみが開閉できる状態であるところ、避難中を含めた防犯上、子扉の施錠は、これを簡易にして確実に行う必要があり、例えば、バールによるこじ開けやカッターを用いた破断等の場合にも、これに充分に耐える必要が生じることになるから、上記の例えば鎌錠による施錠によっては、防犯上の不安を残すことになる。
【０００７】
本発明はかかる事情に鑑みてなされたもので、その解決課題とするところは、高度な防犯性を有するとともに子扉の解錠時にも子扉の閉鎖とその保持をなし得るようにして、緊急脱出時の使い勝手を可及的に向上した子扉付き鋼製ドアを提供するにある。
【課題を解決するための手段】
【０００８】
上記課題に沿って本発明は、親扉に対して子扉を独立して開閉自在とするについて、親扉の子扉開口に対して、子扉を室内側ハンドル及び室外側キー操作によって、子扉開口の上下及び戸先側の３点施錠を行うようにして、こじ開けや破断等によって室外側から子扉を開けて侵入するのを防止して、高度な防犯性を確保するとともに緊急脱出に際して、子扉の空締りロックをなし得るようにして、施錠操作前の出入りに際して容易に子扉の閉鎖を行えるようにしたものであって、即ち、請求項１に記載の発明を、親扉と、親扉の子扉開口に開閉自在に吊り支持し且つ親扉に対して施解錠自在とした子扉を備え、該子扉の親扉に対する施解錠を、子扉室内側のハンドル及び室外側のキーシリンダーと、これらハンドル又はキーシリンダーの回転操作に連動して子扉に配置した親扉の子扉開口上下見込面のロッド受に係脱自在の上下一対のロッド及び該親扉の子扉開口戸先側見込面に配置した錠受に係脱自在の鎌錠又はデッドボルトの上下及び戸先の３点施錠によって行うとともに上記子扉又は子扉開口の戸先側見込面一方に、他方に向けて付勢することによって突没自在とし上記親扉の子扉開口又は子扉の戸先側見込面他方のラッチ受に係脱自在のローラーラッチを備えて子扉の閉鎖保持を行ってなることを特徴とする子扉付き鋼製ドアとしたものである。
【０００９】
請求項２に記載の発明は、上記に加えて、上記施錠操作前の子扉の閉鎖を、個別の閉鎖動作を必要とすることなく、開ければ自ずと確実な自動の閉鎖を行うように、子扉の吊り支持を強付勢する一方、該ヒンジを用いることによって生じるローラーラッチのラッチ受けからの反動脱出を簡易且つ確実に防止して緊急脱出時の出入りに際して、子扉の半開きを防止し且つ閉鎖操作を不要として、使い勝手を更に向上したものとするように、これを、上記子扉の吊り支持を、親扉の子扉開口と子扉の吊り元側の見込面内に配置して上記ローラーラッチのラッチ受から反動脱出可能程度に閉鎖方向に強付勢したヒンジにより行って子扉を自動閉鎖自在とするとともに上記ローラーラッチの子扉閉鎖衝撃による反動脱出を防止する子扉受止め保持の措置を施してなることを特徴とする請求項１に記載の鋼製ドアとしたものである。
【００１０】
本発明はこれらをそれぞれ発明の要旨として上記課題解決の手段としたものである。
【発明の効果】
【００１１】
本発明は以上のとおりに構成したから、請求項１に記載の発明は、親扉に対して子扉を独立して開閉自在とするについて、親扉の子扉開口に対して、子扉を室内側ハンドル及び室外側キー操作によって、子扉開口の上下及び戸先側の３点施錠を行うようにして、こじ開けや破断等によって室外側から子扉を開けて侵入するのを防止するとともに緊急脱出に際して、子扉の空締りロックをなし得るようにして、施錠操作前の出入りに際して容易に子扉の閉鎖を行えるようにして、高度な防犯性を有するとともに子扉の解錠時にも子扉の閉鎖とその保持をなし得るようにして、緊急脱出時の使い勝手を可及的に向上した子扉付き鋼製ドアを提供することができる。
【００１２】
請求項２に記載の発明は、上記に加えて、上記施錠操作前の子扉の閉鎖を、個別の閉鎖動作を必要とすることなく、開ければ自ずと確実な自動の閉鎖を行うように、子扉の吊り支持を強付勢する一方、該ヒンジを用いることによって生じるローラーラッチのラッチ受けからの反動脱出を簡易且つ確実に防止して緊急脱出時の出入りに際して、子扉の半開きを防止し且つ閉鎖操作を不要として、使い勝手を更に向上したものとすることができる。
【図面の簡単な説明】
【００１３】
【図１】子扉付き鋼製ドアの子扉を開けた状態を示す室内側の斜視図である。
【図２】子扉付鋼製ドアの縦断面図である。
【図３】子扉付鋼製ドアの横断面図である。
【図４】ドア鋼板からの加工の状態を示す説明図である。
【図５】ローラーラッチの設置状態を示す斜視図である。
【図６】施錠装置の概要を示す平面説明図である。
【図７】施錠装置の概要を示す分解斜視図である。
【発明を実施するための形態】
【００１４】
以下図面の例に従って本発明を更に具体的に説明すれば、Ａは、親扉２と、親扉２の子扉開口２３に開閉自在に吊り支持し且つ親扉２に対して施解錠自在とした、本例にあって内開きとした子扉３を備えた子扉付き鋼製ドアであり、該子扉付き鋼製ドアＡは、その子扉３の親扉２に対する施解錠を、子扉室内側のハンドル８２及び室外側のキーシリンダー８３と、これらハンドル８２又はキーシリンダー８３の回転操作に連動して子扉３に配置した親扉２の子扉開口２３上下見込面のロッド受８８に係脱自在の上下一対のロッド８７及び該親扉２の子扉開口２３戸先側見込面に配置した錠受９０に係脱自在の鎌錠又はデッドボルト８９の上下及び戸先の３点施錠によって行うとともに上記子扉３又は子扉開口２３の戸先側見込面一方、本例にあっては子扉３に、他方に向けて付勢することによって突没自在とし上記親扉２の子扉開口２３又は子扉３、本例にあっては子扉開口２３の戸先側見込面他方のラッチ受６１に係脱自在のローラーラッチ６を備えて子扉３の閉鎖保持を行ったものとしてあり、本例にあって、上記子扉３の吊り支持は、これを、親扉２の子扉開口２３と子扉３の吊り元側の見込面内に配置して上記ローラーラッチ６のラッチ受６１から反動脱出可能程度に閉鎖方向に強付勢したヒンジ、本例にあってはスプリングヒンジ５により行って子扉３を自動閉鎖自在とするとともに上記ローラーラッチ６の子扉閉鎖衝撃による反動脱出を防止する子扉受止め保持の措置を施したものとしてある。
【００１５】
子扉付き鋼製ドアＡの親扉２は、新築用に新設ドア枠付きとし、また、改装用に既設ドア枠を用いてその既設ドアに交換的に配置することによって、甲種防火戸適合の玄関用としたものとしてあり、該子扉付き鋼製ドアＡは、親扉２とその子扉開口２３に吊り支持した子扉３を備え、子扉開口２３内周と子扉３外周間に気密措置を施したものとしてある。
【００１６】
本例にあって親扉２及び子扉３は、それぞれその構造材をなす鋼材屈曲加工による中空の骨材２１、３１と、該骨材２１、３１間に充填配置した断熱乃至断熱防音材の充填材２２、３２と、骨材２１、３１の全部又は一部と該充填材２２を被覆するように配置したドア鋼板４を備えて、ドア厚を３６ｍｍ又は４２ｍｍとした鋼製のものとしてあり、このとき親扉２と新設又は既設のドア枠１間及び上記親扉２の子扉開口２３内周と子扉３外周間にそれぞれ気密措置を施したものとしてある。
【００１７】
本例にあって親扉２と新設又は既設のドア枠１間の気密措置は、親扉２の室内側外周、本例にあっては親扉２下端とドア枠１の下枠間を含めて、該ドア枠１に室外側に向けて設置した気密材１１に対接する骨材２１による外周段部を親扉２に配置することによってその気密性を確保したものとしてあり、また、上記親扉２の子扉開口２３内周と子扉３外周間の気密措置は、子扉開口２３内周と子扉３外周にそれぞれ相互に部分的乃至全面的、本例にあっては部分的に対面する骨材２１、３１による対面段部を配置し、親扉２の子扉開口２３の開口側端部に上記骨材２１と一体又は一体的に気密材受条２４を設置し、該気密材受条２４に気密材２５を室内側に向けて配置し、該気密材２５を子扉３の上記骨材３１の対面段部に対接することによって、子扉開口２３と子扉３の見込方向中間位置で室内外に露出することなく、気密材２５を配置してその気密性を確保したものとしてある。このとき、本例の上記外周段部、対面段部は、それぞれ上記骨材２１、３１の厚さを薄くする、例えば、ドア厚の１／２乃至１／３程度に薄くするように該当部位を扁平化することによって、これらを形成したものとしてあり、また、上記気密材受条２４は、上記子扉開口２３内周の骨材２１に、該骨材２１構成の鋼材を屈曲して該骨材２１に一体に形成するとともに該骨材２１に一体の該気密材受条２４は、これを親扉２の見付と略面一にこれを形成したものとしてある。
【００１８】
本例にあって上記ドア鋼板４は、横幅を規格寸法とし、縦長さをユーザー指定寸法とするメーカー規格の室内外２枚の鋼板を用い、図４に示すように、該ドア鋼板４に打抜き乃至打ち抜きと折曲の加工を施して親扉室外用鋼板４１、子扉室外用鋼板４２、親扉室内用鋼板４３、子扉室内用鋼板４４とし、これらによって、少なくとも見付面を含めて親扉２と子扉３を実質的に被覆したものとしてあり、このとき、上記室内外２枚のドア鋼板４の親扉室外用鋼板４１、親扉室内用鋼板４３は、これを、親扉２の上記子扉開口２３内周の見込面被覆を除外するようにしたものを用いるとともに親扉２において室内外見付面の子扉開口２３側の端部又はその近傍までとし、また、子扉室外側鋼板４２は、子扉３の室外側見付面を被覆するも、これに続く見込面の被覆を省略したものとしてある。このとき、本例にあって上記子扉開口２３側の端部に化粧モール５、例えばアルミ押出材による金属製の化粧モールを配置して、該子扉開口２３の外周端部を被覆し、親扉２の上記子扉開口２３側の端部における上記打ち抜き加工に伴なう切断端縁を被覆したものとしてある。
【００１９】
即ち、上記メーカー規格のドア鋼板は、例えば両面フラッシュドア用に一般に用いられるところ、子扉付き鋼製ドアＡに使用すると、該子扉付き鋼製ドアＡは、親扉２の子扉開口２３内周及び子扉３外周分の被覆面積が増加する結果、室内外２枚のドア鋼板４にあっては、特に横幅の規格寸法（一般に９１４ｍｍ）が不足する可能性を招くところ、上記のように親扉２と子扉３を実質的に被覆することによって、両面フラッシュドアの場合と同様に、上記室内外２枚のドア鋼板４によって完結的にして外観良好な被覆を行ったものとしてある。このとき、化粧モール５は、親扉２の子扉開口２３にあって該開口２３内に張出状、例えば１ｃｍ程度の幅に張出状に配置することによって、子扉開口２３と子扉３間に存在する、例えば５ｍｍ程度の空隙を被覆し、また、本例にあって上記子扉３の室外側見付面の外周端部を被覆して、玄関ドアとして室外側から子扉３の存在を認識し得ないようにして、親扉子扉一体の外観を呈するものとして、その防犯性を向上したものとしてある。
【００２０】
上記子扉３を吊支持するヒンジ、本例にあってはスプリングヒンジ５は、親扉２の子扉開口２３と子扉３外周の吊り元側の端部、本例にあっては、子扉開口２３と子扉３の上記骨材２１、３１による対面段部間に配置して、これらの対面段部の見込面間に納まって位置するように配置してある。
【００２１】
このとき、本例のスプリングヒンジ５は、これを、上記閉鎖方向に強付勢して子扉を自動閉鎖自在とするようにしてあり、該スプリングヒンジは、これを、親扉２の子扉開口２３と子扉３の吊り元側の見込面内に上下複数、特に２ヶ所配置することが可能であるところ、市販のスプリングヒンジは、一般に、その付勢力の調整が必ずしも容易でないことがあり、この場合、子扉３を確実に自動閉鎖するについて充分な付勢力を得られないことがあり、更に付勢力の強いものとすることが可能であるが、本例にあって、該スプリングヒンジ５は、上記市販のものを、複数、特に上下方向に３ヶ所配置してあり、これによって、子扉３を開くのに可及的に過大な負荷を与えることなく、自動閉鎖を確実に行うに適した、この種の子扉３には幾分強めの上記強付勢のものとしてある。このため、本例の子扉３は、該付勢力の反動衝撃によって、親扉２の子扉開口２３と子扉３間のローラーラッチ６が、ラッチ受６１から反動脱出するに至るケースが見られるように、反動脱出可能程度の付勢力としてある。
【００２２】
このため、本例の子扉付き鋼製ドアＡにあっては、該ローラーラッチ６の子扉閉鎖衝撃による反動脱出を防止する上記子扉受止め保持の措置を施してある。
【００２３】
本例にあって該子扉保持措置は、これを、マグネットキャッチ、マグネットシート等の磁性材料の吸着によるもの、本例にあってはマグネットキャッチ７によるものとしてあり、該マグネットキャッチ７は、これを親扉２の子扉開口２３又は子扉３、本例にあっては子扉３の上記骨材３１による対面段部の、例えば上方位置を部分的に切欠いて、そのマグネットを子扉開口２３における気密材２５に並列する骨材２１の対面段部に向け、子扉３の閉鎖状態で該対面段部に直接又はこれに固定した吸着板に接触することによって、該子扉３を吸着保持するように、その配置を行ってある。該マグネットキャッチ７は、上記子扉３における骨材３１の切欠き部分に、例えば、図示省略の裏板を配置し、該裏板にネジ止めすることによって、該子扉３に対する配置を行ったものとしてある。
【００２４】
本例にあって、子扉の親扉に対する上記３点施錠による施解錠は、施錠装置８によってこれを行うものとしてあり、該施錠装置８は、子扉室内側のハンドル８２、室外側のキーシリンダー８３、上下一対のロッド８７、鎌錠乃至デッドボルト、本例にあってはデッドボルト８９及びロッド８７を受けるロッド受８８、デッドボルト８９を受ける錠受９０を備えたものとしてあり、このとき、本例にあって子扉３に配置した上記ローラーラッチ６を受けるラッチ受６１は、これを上記錠受の上下一方、本例にあっては錠受９０の下位に、これを配置したものとしてある。
【００２５】
本例の施錠装置８における上記上下一対のロッド８７は、ハンドル８２又はキーシリンダー８３の操作による回転動を、例えばクランク機構、ラックピニオン機構等、本例にあっては、クランク機構８５によって上下動に変換し、子扉開口２３の上下の見込面、即ち、対面段部の室内側見込面に埋め込み状に設置したロッド受８８に対して突没自在とし、該ロッド受８８に係脱自在の施解錠を行うものとしてある。本例のクランク機構８５は、上記ハンドル８２又はキーシリンダー８３の操作によってこれに連動して回転する回転板８６と、該回転板８６の回転に応じてロッド８７を上下動する、該回転板８６とロッド８７間にそれぞれ回動自在に介設したリンクを備えて形成することによって、上記ロッド８７の子扉開口２３上下２ヶ所の施解錠を自在とするようにしてある。
【００２６】
また、上記ハンドル８２又は室外側のキーシリンダー８３の操作によって、上記上下一対のロッド８７の施解錠とともに、子扉３の戸先側見込面に設置した鎌錠又はデッドボルト、本例にあってはデッドボルト８９を、親扉２の子扉開口２３戸先側見込面の錠受９０に対して係脱自在として、上記ロッド８７の２ヶ所の施解錠に加えて戸先側見込面１ヶ所の施解錠を行うようにしてある。
【００２７】
このようにロッド８７による上下２ヶ所、鎌錠又はデッドボルト８９による１ヶ所の、合計３ヶ所の３点施錠を行うことによって、子扉３は親扉２に対して強固且つ確実な施錠をなし得て、子扉３の防犯性を高度に確保することができる。
【００２８】
図中１０は、ドア枠１と親扉２の見込面に設置して、日常的な施解錠を行うようにした親扉施錠装置、４５は、上記ドア鋼板の加工段階における子扉の開口、４６は、本例にあって見込面の被覆を省略した子扉室外側鋼板４２を除いて、ドア鋼板４の加工段階で各鋼板に形成し、見付面に続く見込面を被覆する見込面被覆片、８４は子扉３の施錠装置のクランク機構８５等の機構部分を収容する錠ケースを示す。
【００２９】
図示した例は以上のとおりとしたが、子扉付き鋼製ドア、親扉、子扉開口、子扉、室外側及び室内側被覆用のドア鋼板、ハンドル、キーシリンダー、ロッド受、ロッド、錠受、鎌錠又はデッドボルト、ラッチ受、ローラーラッチ、必要に応じて用いる強付勢したヒンジ、子扉受止め保持の措置等の各具体的構造、形状、材質、これらの関係、これらに対する付加等は、上記発明の要旨に反しない限り様々な形態のものとすることができる。
【符号の説明】
【００３０】
Ａ  子扉付き鋼製ドア
１  ドア枠
１１  気密材
２  親扉
２１  骨材
２２  充填材
２３  子扉開口
２４  気密材受条
２５  気密材
２６  化粧モール
３  子扉
３１  骨材
３２  充填材
４  ドア鋼板
４１  親扉室外用鋼板
４２  子扉室外用鋼板
４３  親扉室内用鋼板
４４  子扉室内用鋼板
４５  子扉の開口
４６  見込面被覆片
５  スプリングヒンジ
６  ローラーラッチ
６１  ラッチ受
７  マグネットキャッチ
８  施錠装置
８１  ハンドルケース
８２  ハンドル
８３  シリンダー
８４  錠ケース
８５  クランク
８６  回転板
８７  ロッド
８８  ロッド受
８９  デッドボルト
９０  錠受
１０  親扉施錠装置
【図１】
2013108344.tif 000003
【図２】
2013108344.tif 000004
【図３】
2013108344.tif 000005
【図４】
2013108344.tif 000006
【図５】
2013108344.tif 000007
【図６】
2013108344.tif 000008
【図７】
2013108344.tif 000009